(57)【特許請求の範囲】
【請求項１】
それぞれ番号が付されたフォントデータ群を含む複数のフォントファイルを記憶する記憶手段と、
記憶したフォントファイルのうち、複数のフォントファイルの指定を受け付けるフォントファイル指定受付手段と、
前記指定されたフォントファイルについて、番号の範囲を受け付けるフォントデータ特定情報受付手段と、
前記指定された複数のフォントファイルそれぞれから、前記受け付けた番号の範囲に対応するフォントデータを抽出し、抽出したフォントデータを一つのフォントデータとして合成するフォントデータ合成手段と、
前記合成されたフォントデータ群を含むファイルを新たなフォントファイルとして作成するファイル作成手段とを備えることを特徴とするフォントファイル作成装置。
【請求項２】
請求項１に記載のフォントファイル作成装置において、
フォントデータで表される文字と文字との間隔についての指示を受け付ける間隔情報受付手段をさらに備え、
前記フォントデータ合成手段は、抽出したフォントデータを合成する際に、フォントデータとフォントデータとの間に、前記受け付けた間隔に対応するビットデータを付加して合成することを特徴とするフォントファイル作成装置。
【請求項３】
それぞれ番号が付されたフォントデータ群を含む複数のフォントファイルを記憶する記憶手段を備える情報処理装置に以下の処理を行なわせるためのプログラム：
記憶したフォントファイルのうち、複数のフォントファイルの指定を受け付けるフォントファイル指定受付処理；
前記指定されたフォントファイルについて、番号の範囲を受け付けるフォントデータ特定情報受付処理；
前記指定された複数のフォントファイルそれぞれから、前記受け付けた番号の範囲に対応するフォントデータを抽出し、抽出したフォントデータを一つのフォントデータとして合成するフォントデータ合成処理；
前記合成されたフォントデータ群を含むファイルを新たなフォントファイルとして作成するファイル作成処理。
【請求項４】
請求項３に記載のプログラムを記録した情報処理装置読取り可能な記録媒体。
【発明の詳細な説明】
【０００１】
【発明の属する技術分野】
本発明は、フォントファイルからフォントデータを抽出して、新たなフォントファイルを作成する装置に関する。
【０００２】
【従来の技術】
フォントデータ、特に、ビットマップフォントデータを記録したフォントファイルは、一般に、所定のドットサイズ、例えば、１２ドット×１２ドットごとにファイルが作成される。そして、例えば、ＪＩＳコード順にビットマップのフォントデータが格納されている。
【０００３】
ビットマップをデザインして、新たにフォントデータを作成する現場では、作成中の文字と、ドットサイズの異なる既存の同じ文字とを並べて、その形状を比較する作業が必要となる。このため、既存のフォントファイルから所望の文字（記号を含む）のフォントデータを抽出して、コンピュータの画面上に、一つにまとめて表示させることがよく行なわれる。例えば、図１３（ａ）に示すように、それぞれ、１２ドット×１２ドット、１６ドット×１６ドット、２４ドット×２４ドットのフォントデータを記録したフォントファイルから、Ｋ番目の文字である「山」という文字を抽出して、画面上に並べて表示させる場合である。
【０００４】
また、フォントファイルに記録した文字の並び順等をチェックするため、ある範囲の文字を抽出して、順番にまとめてコンピュータの画面上に表示することが行なわれる。例えば、図１３（ｂ）に示すように、１６ドット×１６ドット、２４ドット×２４ドットのフォントデータを記録したフォントファイルから、Ｎ〜Ｎ＋２番目の文字を抽出して、画面上に順番に並べて表示させる場合である。
【０００５】
また、例えば、表示領域に制限のある液晶画面上等に複数の文字を並べて情報を表示するとき、ビットマップフォントでは、複数のフォントデータを並べた結果を、一つのビットマップデータとして扱った方が好ましい場合がある。例えば、図１４に示すように、「一」、「二」、「三」という文字を「一」「二」「三」と横に並べて表示すると、図中のカッコ内のように、各フォントの幅を加えた分の領域が必要となる。このとき、「一二三」を一つの単位として、例えば、「一」の右端と「二」の左端とをオーバーラップさせたビットマップデータを作成すると文章の幅を短くすることができ、限られた領域内に多くの文字を表示できるようになる。このようなフォントを作成するためには、フォントファイルから所望の複数の文字を抽出して、一つのビットマップデータに合成してから、オーバーラップさせる部分を編集するという作業が行なわれる。
【０００６】
このように、フォントデータを作成する現場では、フォントファイルから、所望のフォントデータを抽出して、一つにまとめて合成するという作業が頻繁に行なわれる。
【０００７】
【発明が解決しようとする課題】
従来、フォントファイルからフォントデータを抽出したり、抽出したデータを合成したりする作業は、対象となる文字を一つずつ抜き出して、カットアンドペーストを繰り返すことにより行なっていた。このため、作業者の負担が大きく、ミスも発生しやすかった。
【０００８】
本発明の目的は、フォントファイルから所望のフォントデータを抽出し、合成する作業を支援する装置を提供することにある。
【０００９】
【課題を解決するための手段】
上記課題を解決するため、本発明によれば、フォントデータ群を含む複数のフォントファイルを記憶する記憶手段と、
記憶したフォントファイルのうち、複数のフォントファイルの指定を受け付けるフォントファイル指定受付手段と、
前記指定されたフォントファイルについて、１または複数のフォントデータを特定するための情報を受け付けるフォントデータ特定情報受付手段と、
前記受け付けたフォントデータ特定情報それぞれについて、前記指定された複数のフォントファイルそれぞれから、フォントデータ特定情報によって特定されるフォントデータを抽出し、抽出したフォントデータを一つのフォントデータとして合成するフォントデータ合成手段と、
前記受け付けたフォントデータ特定情報それぞれについて合成されたフォントデータ群を含むファイルを新たなフォントファイルとして作成するファイル作成手段とを備えることを特徴とするフォントファイル作成装置が提供される。
【００１０】
また、上記課題を解決するために、本発明によれば、フォントデータ群を含む１または複数のフォントファイルを記憶する記憶手段と、
記憶したフォントファイルのうち、１のフォントファイルの指定を受け付けるフォントファイル指定受付手段と、
複数のフォントデータを特定するための情報を記録したファイルの指定を受け付けるファイル指定受付手段と、
前記指定されたファイルに記録されたフォントデータ特定情報によって特定される複数のフォントデータを、前記指定されたフォントファイルから抽出し、抽出した複数のフォントデータを一つのフォントデータとして合成するフォントデータ合成手段と、
前記合成されたフォントデータを含むファイルを新たなフォントファイルとして作成するファイル作成手段とを備えることを特徴とするフォントファイル作成装置が提供される。
【００１１】
これらの装置を用いることにより、フォントファイルから所望のフォントデータを抽出し、合成する作業を容易に行なうことができる。
【００１２】
【発明の実施の形態】
本発明の実施の形態について、図面を参照して詳細に説明する。
【００１３】
図１は、本発明を適用したフォントファイル作成装置の構成を説明するためのブロック図である。フォントファイル作成装置１０は、例えば、中央演算処理装置、主記憶装置等を備える一般的な情報処理装置、例えば、パーソナルコンピュータを用いて構成することができる。
【００１４】
本図に示すようにフォントファイル作成装置１０は、制御部２０、入力部３０、表示部４０、印刷部５０および記憶部６０を備えて構成されている。
【００１５】
制御部２０は、以下に説明するフォントファイル作成装置１０における各処理を実行するための制御を行なう。制御部２０は、例えば、パーソナルコンピュータの中央演算処理装置により実現することができる。入力部３０は、作業者からの指示を受け付けるための処理を行なう。入力部３０は、例えば、キーボード、マウス等の入力装置により実現することができる。表示部４０は、作業者に各種情報を提示するための処理を行なう。表示部４０は、例えば、ディスプレイ装置により実現することができる。印刷部５０は、処理結果等を印字するための処理を行なう。印刷部５０は、例えば、プリンタ装置により実現することができる。記憶部６０は、フォントファイル１００等を記憶する。記憶部６０は、例えば、ハードディスク装置により実現することができる。
【００１６】
なお、フォントファイル作成装置１０の構成はこれに限られない。また、例えば、パーソナルコンピュータは、所定のコンピュータプログラムを中央演算処理装置が実行等することによりフォントファイル作成装置１０として機能することができる。パーソナルコンピュータをフォントファイル作成装置１０として機能させるためのコンピュータプログラムは、ＣＤ−ＲＯＭ、ＤＶＤ−ＲＯＭ等の可搬性を有する記録媒体に記録した状態で、あるいは、通信回線等を介して流通させることができる。
【００１７】
次に、記憶部６０に記憶されるフォントファイル１００のデータ構造について説明する。図２は、フォントファイル１００のデータ構造の一例を説明するための図である。
【００１８】
本図に示すように、フォントファイル１００は、ファイルヘッダ１０１と、複数のフォントデータ１０２とから構成される。ただし、これに限定されない。
【００１９】
ファイルヘッダ１０１は、フォントファイル１００に関する情報を記録する領域で、例えば、書体１０１ａ（明朝、ゴシック等）、ドットサイズ１０１ｂ（１２ドット×１２ドット、１６ドット×２４ドット等）、文字数１０１ｃ（フォントファイル１００が記録している文字の数）を記録する。
【００２０】
フォントデータ１０２は、フォントのビットマップデータ等を記録する領域である。フォントファイル１００には、ファイルヘッダ１０１の文字数１０１ｃに記録された文字数分のフォントデータ１０２が連続して記録される。
【００２１】
それぞれのフォントデータ１０２は、ヘッダ１０２１とドットデータ１０２２とから構成される。
【００２２】
ヘッダ１０２１は、そのフォントファイル１００におけるフォントデータ１０１の番号（通し番号）を表す文字番号１０２１ａ、フォントデータ１０２が表す文字のコード（例えばＪＩＳコード）１０２１ｂを記録する。なお、ヘッダ１０２１には、例えば、プロポーショナルフォントの左右余白情報等をさらに記録するようにしてもよい。
【００２３】
ドットデータ１０２２は、フォントのビットマップデータを格納する領域である。ドットデータ１０２２のサイズ（横ドット数×縦ドット数）は、ファイルヘッダ１０１のドットサイズ１０１で規定される。
【００２４】
本実施例において、記憶部６０には、上述のフォントファイル１００が、書体、ドットサイズごとに複数記憶されている。なお、各フォントファイル１００が含む文字種は必ずしも一致している必要はない。例えば、あるフォントファイル１００には、第１水準の文字（漢字）のみが含まれ、別のフォントファイル１００には、第１水準および第２水準の文字（漢字）が含まれるようにすることができる。
【００２５】
次に、フォントファイル作成装置１０の第１の処理動作について説明する。フォントファイル作成装置１０は、第１の処理動作において、複数のフォントファイル１００から、指定された条件に合致するフォントデータ１０２を抽出して、新たなフォントファイルを作成する処理を行なう。すなわち、図１３に示した処理を行なう。ここで、作成される新たなフォントファイルを合成フォントファイルと称すものとする。
【００２６】
本処理動作で、フォントファイル作成装置１０は、図４に一例を示すような文字合成入出力指定画面５００を表示部４０に表示し、作業者の指示を受け付ける。
【００２７】
本図において、文字合成入出力指定画面５００は、入力ファイル設定領域５０１と、出力ファイル設定領域５０２と、「元ファイルを増やす」ボタン５０３と、「合成実行」ボタン５０４と、「閉じる」ボタンとを備えている。
【００２８】
入力ファイル設定領域５０１は、抽出するフォントデータ１０２を含むフォントファイル１００（元ファイル）を指定するための領域である。作業者は、ファイル名入力欄５０１ｄにフォントファイル名入力することにより、フォントファイル１００を指定することができる。また、参照ボタン５０１ｃをクリックすることにより、ダイアログで対話的に、フォントファイル１００を指定することができる。
【００２９】
フォントファイル作成装置１０は、フォントファイル１００の指定を受け付けると、指定に係るフォントファイル１００のファイルヘッダ１０１を参照して、ドットサイズをサイズ表示欄５０１ａに、文字数を文字数表示欄５０１ｂに表示する。
【００３０】
また、作業者は、文字指定欄５０１ｅで、抽出すべきフォントデータ１０２を指定することができる。フォントデータ１０２の指定は、例えば、文字番号で指定することができる。文字番号は「１，３」のように複数指定することができ、また「１−６」のように範囲を指定することもできるものとする。
【００３１】
フォントファイル作成装置１０は、文字番号の指定を受け付けると、指定された文字の数を文字数表示欄５０１ｆに表示する。
【００３２】
本図では、入力ファイルは５つまで指定できるようになっているが、さらに多くのフォントファイル１００を指定する場合には、作業者は「元ファイルを増やす」ボタン５０３をクリックすることができる。
【００３３】
フォントファイル作成装置１０は、「元ファイルを増やす」ボタン５０３のクリックを受け付けると、追加の入力ファイル設定欄を表示して、作業者からの指定を受け付けるようにする。
【００３４】
出力ファイル設定領域５０２は、出力する合成フォントファイルを指定するための領域である。作業者は、ファイル名入力欄５０２ｂにファイル名を入力することにより、出力する合成フォントファイルを指定することができる。また、参照ボタン５０２ａをクリックすることにより、ダイアログで対話的に合成フォントファイルを指定することができる。
【００３５】
また、作業者は、合成ピッチ指定欄５０１ｅで、作成される合成フォントファイルの文字と文字の間隔（ピッチ）をドット数で指定することができる。
【００３６】
フォントファイル作成装置１０は、作成される合成フォントファイルの横方向のドット数を算出して、Ｘドット数表示欄５０１ｃに表示する。ここで、横方向のドット数は、指定されたフォントファイル１００の横方向の各ドット数と、合成ピッチ指定欄５０１ｅで指定された各文字間のドット数を加えて算出する。また、フォントファイル作成装置１０は、指定されたフォントファイル１００の縦方向の最大ドット数をＹドット数表示欄５０１ｄに表示する。
【００３７】
フォントファイル作成装置１０は、「合成実行」ボタン５０４のクリックを受け付けると、フォントファイル１００から指定に係るフォントデータを抽出し、新たな合成フォントファイルを作成する処理を行なう。この処理について、図３のフロー図を参照して説明する。
【００３８】
まず、元ファイルとして最初に設定されたフォントファイル１００を読み込む（Ｓ１０１）。そして、指定された最初の番号に対応する文字データを抽出する（Ｓ１０２）。
【００３９】
次に、抽出した文字データを作業ファイルに合成する（Ｓ１０３）。ここで、作業ファイルは、出力結果を一時的に保存するためのビットマップファイルであり、その縦方向のサイズは、元ファイルの縦方向の最大ドット数と一致させておく。また、合成は、抽出した文字データが作成済みの作業ファイルの一端、例えば、右側に付加されるように、ビットマップデータを追加する。なお、作業ファイルは文字番号ごとに作成するようにする。また、最初の文字（最初の元ファイルから抽出した文字）の場合は、そのフォントデータの縦方向のドット数を、元ファイルの縦方向の最大ドット数と一致させたデータが作業ファイルとなる。
【００４０】
以上の（Ｓ１０１）から（Ｓ１０３）までの処理を、指定された元ファイルの数分繰り返す。このとき、元ファイルがまだある場合には、合成ピッチ分のデータを付加して（Ｓ１０５）、次のビットマップデータを追加する。
【００４１】
そして、指定された元ファイルすべての処理を終えると、文字指定欄５０１ｅに入力されたデータを参照して、次に抽出すべき文字があるかどうかを調べる（Ｓ１０６）。そして、抽出すべき文字がある場合には、再度上記の処理を繰り返す。
【００４２】
一方、抽出すべき文字がない場合には、後述する合成フォントファイルのヘッダを作成し、すべての作業ファイルとマージすることにより合成フォントファイルを作成する（Ｓ１０７）。そして、指定された合成フォントファイル名を付して、記憶部６０に記録する。
【００４３】
図６は、作成された合成フォントファイル２００のデータ構造の一例を説明するための図である。本図において、合成フォントファイル２００は、ファイルヘッダ２０１と、フォントデータ２０２とから構成される。
【００４４】
ファイルヘッダ２０１は、合成フォントファイル２００に関する情報を記憶する領域で、例えば、元ファイル数２０１ａ、元ファイルの各ドットサイズ２０１ｂ、合成ピッチ２０１ｃ、文字数２０１ｄを記憶する。
【００４５】
フォントデータ２０２は、作成されたビットマップデータである。フォントデータ２０２は、文字番号ごとに作成され、作成される数は、文字数２０１ｄに一致する。本図の例で、最初のフォントデータ２０２は、元ファイル１の文字番号１、元ファイル２の文字番号１、元ファイル３の文字番号１が合成ピッチを挟んで合成されている。そして、次のフォントデータ２０２は、元ファイル１の文字番号２、元ファイル２の文字番号２、元ファイル３の文字番号２が合成ピッチを挟んで合成されている。
【００４６】
各フォントデータ２０２の区切りは、ファイルヘッダ２０１を参照することで特定することができる。
【００４７】
フォントファイル作成装置１０は、新たな合成フォントファイル２００を作成する処理を終えると、図５に一例を示すような合成終了画面５１０を表示部４０に表示し、作業者の指示を受け付ける。
【００４８】
本図において、合成終了画面５１０は、合成処理が終了した旨を表示する欄５１１と、「表示」ボタン５１２と、「印刷」ボタン５１３と、「閉じる」ボタン５１４とを備えている。
【００４９】
フォントファイル作成装置１０は、「表示」ボタン５１２のクリックを受け付けると、作成した合成フォントファイル２００に基づいて、図７（ａ）に一例を示すような画面５２０を表示部４０に表示する。
【００５０】
また、「印刷」ボタン５１３のクリックを受け付けると、印刷部作成した合成フォントファイル２００に基づいて、印刷部５０により、図７（ｂ）に一例を示すようなドキュメントの印刷を行なう。
【００５１】
ここで、図７（ａ）は、ビットマップイメージを表し、図７（ｂ）は、実際の印字結果のイメージを表しているが、出力形態はこれらに限定されるものではない。
【００５２】
次に、フォントファイル作成装置１０の第２の処理動作について説明する。フォントファイル作成装置１０は、第２の処理動作において、一つのフォントファイル１００から、指定された条件に合致する複数のフォントデータ１０２を抽出して合成し、新たな一つのフォントファイルを作成する処理を行なう。すなわち、図１４に示した処理を行なう。
【００５３】
本処理動作で、フォントファイル作成装置１０は、図８に一例を示すような文章合成入出力指定画面５２０を表示部４０に表示し、作業者の指示を受け付ける。
【００５４】
本図において、文章合成入出力指定画面５２０は、入力ファイル設定領域５２１と、出力ファイル設定領域５２２と、「合成実行」ボタン５２３と、「閉じる」ボタン５２４とを備えている。
【００５５】
入力ファイル設定領域５２１は、抽出するフォントデータ１０２を含むフォントファイル１００（元ファイル）と、抽出するフォントを記録したテキストファイルとを指定するための欄である。作業者は、ファイル名入力欄５０１ｄにフォントファイル名入力することにより、フォントファイル１００を指定することができる。また、参照ボタン５０１ｃをクリックすることにより、ダイアログで対話的に、フォントファイル１００を指定することができる。
【００５６】
図９は、抽出する文字のフォントデータを指定するテキストファイルの例を説明するための図である。作業者は、抽出したい文字についてあらかじめテキストファイルを作成しておく。
【００５７】
本実施例において、テキストファイルは、図９（ａ）に示すように、文字番号で文字を指定することができる。このときは、テキストファイルの先頭行に、例えば「ＭＯＪＩ」と記載しておく。そして、一つのフォントとして合成する文字を１行単位に、カンマで区切って記録するようにする。
【００５８】
また、図９（ｂ）に示すように、コード（例えばＪＩＳコード）で文字を指定することができる。このときは、テキストファイルの先頭行に、例えば、「ＣＯＤＥ」と記載しておく。
【００５９】
作業者は、このように作成したテキストファイルを、文章合成入出力指定画面５２０のテキストファイル入力欄５２１ｅ、あるいは、参照ボタン５２１ｆで指定することができる。
【００６０】
出力ファイル設定領域５２２は、出力する合成フォントファイルを指定するための領域である。作業者は、ファイル名入力欄５２２ａにファイル名を入力することにより、出力する合成フォントファイルを指定することができる。また、参照ボタン５２２ｂをクリックすることにより、ダイアログで対話的に合成フォントファイルを指定することができる。さらに、作成する合成フォントファイルのサイズを指定したい場合には、サイズ指定欄５２２ｃにドット数を入力することができる。
【００６１】
フォントファイル作成装置１０は、「合成実行」ボタン５２３のクリックを受け付けると、フォントファイル１００から指定に係るフォントデータを抽出し、新たな合成フォントファイルを作成する処理を行なう。この処理について、図１０のフロー図を参照して説明する。
【００６２】
まず、テキストファイルとして設定されたファイルを読み込む（Ｓ２０１）。そして、テキストファイルの最初の行を参照して、文字の指定が文字番号であるかコードであるかを判断する。また、元ファイルとして指定されたフォントファイル１００を読み込む（Ｓ２０２）。
【００６３】
そして、テキストファイルを１行ごとに、１文字ずつ抽出して（Ｓ２０３）、抽出した文字を合成する（Ｓ２０４）。このときの合成は、抽出した文字のビットマップデータを作業ファイルの右側に順番に付加していくようにする。抽出されるビットマップデータはすべて同じドットサイズであるので、第１の動作処理で行なったような縦方向のサイズ調節は必要ない。ただし、サイズ指定欄５２２ｃで作業者によりサイズが指定されている場合には、そのサイズにしたがうものとする。なお、作業ファイルは１行ずつ作成するようにする。また、最初の文字（各行の先頭文字）の場合は、そのフォントデータが作業ファイルとなる。
【００６４】
以上の処理を、テキストファイルのすべての行について繰り返す（Ｓ２０６）。そして、すべての行について処理を終えると、後述する合成フォントファイルのヘッダを作成し、すべての作業ファイルとマージすることにより合成フォントファイルを作成する（Ｓ２０７）。そして、指定された合成フォントファイル名を付して、記憶部６０に記録する。
【００６５】
図１１は、作成された合成フォントファイル３００のデータ構造の一例を説明するための図である。本図において、合成フォントファイル３００は、ファイルヘッダ３０１と、フォントデータ３０２とから構成される。
【００６６】
ファイルヘッダ３０１は、合成フォントファイル３００に関する情報を記憶する領域で、例えば、行数３０１ａ、各行のドットサイズ３０１ｂを記憶する。
【００６７】
フォントデータ３０２は、作成されたビットマップデータである。フォントデータ３０２は、テキストファイルの行ごとに作成され、作成される数は、行数３０１ａに一致する。本図の例で、最初のフォントデータ３０２は、テキストファイルの１行目（文字番号、コードを識別するための行は除いた行数）の一番目の文字と、１行目の２番目の文字と、１行目の３番目の文字とを合成したビットマップデータである。そして、次のフォントデータ３０２は、テキストファイルの２行目の１番目の文字と、２行目の２番目の文字と、２行目の３番目の文字とを合成したビットマップデータである。
【００６８】
各フォントデータ３０２の区切りは、ファイルヘッダ３０１を参照することで特定することができる。
【００６９】
フォントファイル作成装置１０は、本処理動作においても、処理結果を表示部４０に表示したり、印刷部５０によりドキュメントの印刷を行なうことができる。
【００７０】
図１２（ａ）は、表示部４０に表示した画面の例を説明するための、ビットマップイメージ図であり、図１２（ｂ）は、印刷結果の例を説明するためのイメージ図である。
【００７１】
なお、本発明は上記の実施例に限られず、種々の変形が可能である。例えば、実施例ではビットマップフォントをフォントファイルから抽出するを例に説明したが、ベクトルフォントをフォントファイルから抽出する場合にも適用することができる。また、フォントファイル作成装置１０に、従来技術を適用して、抽出したフォントデータを編集する機能と、編集結果を元のフォントファイルに戻す機能を付加するようにしてもよい。
【００７２】
【発明の効果】
上述のように、本発明によれば、フォントファイルから所望のフォントデータを抽出し、合成する作業を支援する装置が提供される。
【図面の簡単な説明】
【図１】は、本発明を適用したフォントファイル作成装置の構成を説明するためのブロック図である。
【図２】は、フォントファイル１００のデータ構造の一例を説明するための図である。
【図３】は、第１の処理動作において、合成フォントファイルを作成する処理について説明するためのフロー図である。
【図４】は、文字合成入出力指定画面５００の一例を説明するための図である。
【図５】は、合成終了画面５１０の一例を説明するための図である。
【図６】は、合成フォントファイル２００のデータ構造の一例を説明するための図である。
【図７】は、フォントファイル作成装置１０の第１の処理動作の出力結果を説明するための図である。
【図８】は、文章合成入出力指定画面５２０の一例を説明するための図である。
【図９】は、抽出する文字のフォントデータを指定するテキストファイルの例について説明するための図である。
【図１０】は、第２の処理動作において、合成フォントファイルを作成する処理について説明するためのフロー図である。
【図１１】は、合成フォントファイル３００のデータ構造の一例を説明するための図である。
【図１２】は、フォントファイル作成装置１０の第２の処理動作の出力結果を説明するための図である。
【図１３】は、フォントデータを作成する現場で行なわれる作業について説明するための図である。
【図１４】は、フォントデータを作成する現場で行なわれる作業について説明するための図である。
【符号の説明】
１０…フォントファイル作成装置
２０…制御部
３０…入力部
４０…表示部
５０…印刷部
６０…記憶部
【図１】
0003876664.tif 000002
【図２】
0003876664.tif 000003
【図３】
0003876664.tif 000004
【図４】
0003876664.tif 000005
【図５】
0003876664.tif 000006
【図６】
0003876664.tif 000007
【図７】
0003876664.tif 000008
【図８】
0003876664.tif 000009
【図９】
0003876664.tif 000010
【図１０】
0003876664.tif 000011
【図１１】
0003876664.tif 000012
【図１２】
0003876664.tif 000013
【図１３】
0003876664.tif 000014
【図１４】
0003876664.tif 000015